(57)【要約】アクセス網における実体（entity）によって提供されるサービスを要求するアクセス端末１１２（２）（ＡＴ）を認可するための方法及び装置が開示される。アクセス網を持つ通信セッションについて認可された後で、ＡＴは所望のサービスを管理するサービス選択器１１８（２）の接触のための領域ネーム・サーバー１２２（２）（ＤＮＳ）に問合わせを行う。アクセス網１０８（３）（ＢＳＣ／ＰＣＦ）における制御器はＤＮＳに問合わせを送り、そしてＤＮＳから応答を返す。そしてＡＴはＡＴの事項を含むサービス照会をＳＳに託送する。ＢＳＣ／ＰＣＦはＳＳがサービスを認可することを許容する属性を送る。ＳＳの属性承認の際、ＢＳＣ／ＰＣＦはＳＳにサービス照会を転送する。認可の際、ＳＳはＢＳＣ／ＰＣＦに通告し、そしてＡＴが認可されれば、サービスを提供するためにＡＴの事項に従って適切なサービス・プロバイダ１２０（２）（ＳＰ）を選択する。
2005512358.tif 000002
【特許請求の範囲】
【請求項１】
少なくとも一つのサービスを提供する通信システムにおけるサービス認可のための方法であって、前記少なくとも一つのサービスの各々は別々のサービス選択器によって管理されており、
制御器においてサービス選択器宛のサービス照会を受信すること；
前記サービス照会に従って制御器から一組のパラメータをサービス選択器に提供すること；
パラメータの前記の組に従ってサービス選択器において前記サービスを認可すること
を含む方法。
【請求項２】
制御器から一組のパラメータをサービス選択器に前記提供することが：
前記サービス照会から源アドレスを判定すること；
前記源アドレスによって指示されるパラメータの前記の組を送信すること
を含む請求項１記載の方法。
【請求項３】
制御器からパラメータの前記の組をサービス選択器に前記提供することが：
サービス選択器宛の前記サービス照会が最初に受信されるかどうかを判定すること；
前記判定が肯定であれば、パラメータの前記の組をサービス選択器に送信すること
を含む請求項１記載の方法。
【請求項４】
制御器において一組のパラメータをサーバーから受信することをさらに含む請求項１記載の方法。
【請求項５】
少なくとも一つのサービスを提供する通信システムにおけるサービス認可のための方法であって、前記少なくとも一つのサービスの各々は別々のサービス選択器によって管理されており、
所望のサービスを管理するサービス選択器宛のサービス照会を加入者局から送信すること；
サービス選択器宛の前記サービス照会を制御器において受信すること；
前記サービス照会に従って制御器から一組のパラメータをサービス選択器に提供すること；
パラメータの前記の組に従ってサービス選択器において前記サービスを認可すること
を含む方法。
【請求項６】
制御器から一組のパラメータをサービス選択器に前記提供することが：
前記サービス照会から源アドレスを判定すること；
前記源アドレスによって指示されるパラメータの前記の組を送信すること
を含む請求項５記載の方法。
【請求項７】
制御器からパラメータの前記の組をサービス選択器に前記提供することが：
サービス選択器宛の前記サービス照会が最初に受信されるかどうかを判定すること；
前記判定が肯定であれば、パラメータの前記の組をサービス選択器に送信すること
を含む請求項５記載の方法。
【請求項８】
加入者局において所望のサービスを管理するサービス選択器のアドレスを要求することをさらに含む請求項５記載の方法。
【請求項９】
制御器においてパラメータの前記の組をサーバーから受信することをさらに含む請求項５記載の方法。
【請求項１０】
制御器においてパラメータの前記の組をサーバーから受信することが：
加入者局が通信システムとの通信を確立するとき、制御器においてパラメータの前記の組をサーバーから受信することを含む請求項９記載の方法。
【請求項１１】
少なくとも一つのサービスを提供する通信システムにおいてサービスを提供するための方法であって、前記少なくとも一つのサービスの各々は別々のサービス選択器によって管理されており、
制御器においてサービス選択器宛のサービス照会を受信すること；
サービス選択器宛の前記サービス照会が最初に受信されるかどうかを判定すること；及び前記判定が肯定であれば：
制御器から一組のパラメータと前記サービス照会をサービス選択器に提供すること；
パラメータの前記の組に従ってサービス選択器において前記サービスを認可すること;
サービス照会に従って前記サービスを提供するためサービス選択器においてサービス・プロバイダを選択すること；
サービス関連情報をサービス・プロバイダによって提供すること
を含む方法。
【請求項１２】
制御器においてパラメータの前記の組をサーバーから受信することをさらに含む請求項１１記載の方法。
【請求項１３】
前記判定が否定であれば、
前記サービス照会をサービス選択器に転送すること；
サービス照会に従って前記サービスを提供するためサービス選択器においてサービス・プロバイダを選択すること；
サービス関連情報をサービス・プロバイダによって提供すること
を含む請求項１１記載の方法。
【請求項１４】
少なくとも一つのサービスを提供する通信システムにおいてサービスを提供するための方法であって、前記少なくとも一つのサービスの各々は別々のサービス選択器によって管理されており、
所望のサービスを管理するサービス選択器宛のサービス照会を加入者局から送信すること；
制御器においてサービス選択器宛の前記サービス照会を受信すること；
サービス選択器宛の前記サービス照会が最初に受信されるかどうかを判定すること；及び前記判定が肯定であれば：
制御器から一組のパラメータと前記サービス照会をサービス選択器に提供すること；
パラメータの前記の組に従ってサービス選択器において前記サービスを認可すること；
サービス照会に従って前記サービスを提供するためサービス選択器においてサービス・プロバイダを選択すること； 
サービス関連情報をサービス・プロバイダによって提供すること
を含む方法。
【請求項１５】
前記判定が否定であれば：
前記サービス照会をサービス選択器に提供すること；
サービス照会に従って前記サービスを提供するためサービス選択器においてサービス・プロバイダを選択すること；
サービス関連情報をサービス・プロバイダによって提供すること
を含む請求項１４記載の方法。
【請求項１６】
加入者局において所望のサービスを管理するサービス選択器のアドレスを受信することをさらに含む請求項１４記載の方法。
【請求項１７】
制御器においてパラメータの前記の組をサーバーから受信することをさらに含む請求項１４記載の方法。
【請求項１８】
制御器においてパラメータの前記の組をサーバーから受信することが：
加入者局が通信システムとの通信を確立するとき、制御器においてパラメータの前記の組をサーバーから受信することを含む請求項１７記載の方法。
【請求項１９】
少なくとも一つのサービスを提供する通信システムにおいてサービスを提供するための方法であって、前記少なくとも一つのサービスの各々は別々のサービス選択器によって管理されており、
制御器においてサービス選択器宛のサービス照会を受信すること；
サービス選択器宛の前記サービス照会が最初に受信されるかどうかを判定すること；そして前記判定が肯定であれば：
サービス選択器宛の前記サービス照会がＮｏ‐Ｏｐメッセージを含むかどうかを判定すること、そして前記判定が否定であれば：
制御器から一組のパラメータと前記サービス照会をサービス選択器に提供すること；
パラメータの前記の組に従ってサービス選択器において前記サービスを認可すること；
前記サービス照会に従って前記サービスを提供するためサービス選択器においてサービス・プロバイダを選択すること；
サービス関連情報をサービス・プロバイダによって提供すること
を含む方法。
【請求項２０】
サービス選択器宛の前記サービス照会がＮｏ‐Ｏｐメッセージを含むことの前記判定が肯定であれば、
制御器から一組のパラメータをサービス選択器に提供すること；
サービス・プロバイダからパラメータの前記の組からの少なくとも一つのパラメータをサービス・プロバイダに供給すること；
サービス関連情報をサービス・プロバイダによって提供すること
を含む請求項１９記載の方法。
【請求項２１】
パラメータの前記の組に従って前記サービスをサービス選択器において認可することをさらに含む請求項２０記載の方法。
【請求項２２】
サービス選択器宛の前記サービス照会が最初に受信されることの前記判定が否定であれば、
前記サービス照会をサービス選択器に転送すること；
サービス照会に従って前記サービスを提供するためサービス選択器においてサービス・プロバイダを選択すること；
サービス関連情報をサービス・プロバイダによって提供すること
を含む請求項１９記載の方法。
【請求項２３】
少なくとも一つのサービスを提供する通信システムにおいてサービスを提供するための方法であって、前記少なくとも一つのサービスの各々は別々のサービス選択器によって管理されており、
所望のサービスを管理するサービス選択器宛のサービス照会を加入者局から送信すること；
制御器においてサービス選択器宛の前記サービス照会を受信すること；
サービス選択器宛の前記サービス照会が最初に受信されるかどうかを判定すること；そして前記判定が肯定であれば：
サービス選択器宛の前記サービス照会がＮｏ‐Ｏｐメッセージを含むかどうかを判定すること、そして前記判定が否定であれば：
制御器から一組のパラメータと前記サービス照会をサービス選択器に提供すること；
パラメータの前記の組に従ってサービス選択器において前記サービスを認可すること;
前記サービス照会に従って前記サービスを提供するためサービス選択器においてサービス・プロバイダを選択すること；
サービス関連情報をサービス・プロバイダによって提供すること
を含む方法。
【請求項２４】
サービス選択器宛の前記サービス照会がＮｏ‐Ｏｐメッセージを含むことの前記判定が肯定であれば、
制御器から一組のパラメータをサービス選択器に提供すること；
サービス・プロバイダからパラメータの前記の組からの少なくとも一つのパラメータをサービス・プロバイダに供給すること；
サービス関連情報をサービス・プロバイダによって提供すること
を含む請求項２３記載の方法。
【請求項２５】
パラメータの前記の組に従ってサービス選択器において前記サービスを認可することをさらに含む請求項２４記載の方法。
【請求項２６】
サービス選択器宛の前記サービス照会が最初に受信されることの前記判定が否定であれば、
前記サービス照会をサービス選択器に転送すること；
サービス照会に従って前記サービスを提供するためサービス選択器においてサービス・プロバイダを選択すること；
サービス関連情報をサービス・プロバイダによって提供すること
を含む請求項２４記載の方法。
【請求項２７】
少なくとも一つのサービスを提供する通信システムにおけるサービス認可のための装置であって、前記少なくとも一つのサービスの各々は別々のサービス選択器によって管理されており、
サービス選択器宛のサービス照会を受信し、そして
サービス照会に従って一組のパラメータをサービス選択器に提供するために構成された制御器；及び
前記制御器から一組のパラメータを受信し、そして
パラメータのその組に従ってサービスを認可するために構成された前記制御器に通信的に接続された少なくとも一つのサービス選択器
を具備する装置。
【請求項２８】
前記制御器は、
サービス照会から源アドレスを判定し、そして
源アドレスによって指示されるパラメータの組をサービス選択器に提供する
ように構成されることによってサービス照会に従って一組のパラメータをサービス選択器に提供するために構成される請求項２７記載の装置。
【請求項２９】
前記制御器は、
サービス選択器宛のサービス照会が最初に受信されるかどうかを判定し、そして
判定が肯定であれば、パラメータの組をサービス選択器に提供する
ように構成されることによってサービス照会に従って一組のパラメータをサービス選択器に提供するために構成される請求項２７記載の装置。
【請求項３０】
一組のパラメータをサービス選択器に提供するために構成された前記制御器に通信的に接続されたサーバーをさらに具備する請求項２７記載の装置。
【請求項３１】
少なくとも一つのサービスを提供する通信システムにおけるサービス認可のための装置であって、前記少なくとも一つのサービスの各々は別々のサービス選択器によって管理されており、
所望のサービスを管理するサービス選択器宛のサービス照会を送信するために構成された加入者局；
サービス選択器宛のサービス照会を受信し、そして
サービス照会に従って一組のパラメータをサービス選択器へ提供する
ために構成された前記加入者局に通信的に接続される制御器；及び
一組のパラメータを前記制御器から受信し、そして
パラメータのその組に従ってサービスを認可する
ために構成された前記制御器に通信的に接続される少なくとも一つのサービス選択器
を具備する装置。
【請求項３２】
前記制御器は、
サービス照会から源アドレスを判定し、そして
源アドレスによって指示されるパラメータの組をサービス選択器に提供する
ように構成されることによってサービス照会に従って一組のパラメータをサービス選択器に提供するために構成される請求項３１記載の装置。
【請求項３３】
前記制御器は、
サービス選択器宛のサービス照会が最初に受信されるかどうかを判定し、そして
判定が肯定であれば、パラメータの組をサービス選択器に提供する
ように構成されることによってサービス照会に従って一組のパラメータをサービス選択器に提供するために構成される請求項３１記載の装置。
【請求項３４】
加入者局が、
所望のサービスを管理するサービス選択器のアドレスを要求するためにさらに構成される請求項３１記載の装置。
【請求項３５】
一組のパラメータをサービス選択器に提供するために構成されたサーバーをさらに具備する請求項３１記載の装置。
【請求項３６】
前記サーバーは、
前記加入者局が通信システムとの通信を確立するとき、前記制御器に一組のパラメータを提供するために構成される請求項３１記載の装置。
【請求項３７】
少なくとも一つのサービスを提供する通信システムにおいてサービスを提供するための装置であって、前記少なくとも一つのサービスの各々は別々のサービス選択器によって管理されており、
サービス選択器宛のサービス照会を受信し、
サービス選択器宛のサービス照会が最初に受信されるかどうかを判定し、そして前記判定が肯定であれば：
一組のパラメータとサービス照会をサービス選択器に提供する
ために構成された制御器；及び
前記制御器から一組のパラメータを受信し、
パラメータのその組に従ってサービスを認可し、
サービス照会を前記制御器から受信し、
サービス照会に従ってサービスを提供する
ためにサービス・プロバイダを選択するために構成された前記制御器に通信的に接続された少なくとも一つのサービス選択器；及び
サービス関連情報を提供するために構成された少なくとも一つのサービス・プロバイダ
を具備する装置。
【請求項３８】
一組のパラメータを前記制御器に提供するために構成されたサーバーをさらに具備する請求項３７記載の装置。
【請求項３９】
サービス選択器宛のサービス照会が最初に受信されないことを前記制御器が判定すれば、制御器は、
サービス照会をサービス選択器に転送する請求項３７記載の装置。
【請求項４０】
少なくとも一つのサービスを提供する通信システムにおいてサービスを提供するための装置であって、前記少なくとも一つのサービスの各々は別々のサービス選択器によって管理されており、
所望のサービスを管理するサービス選択器宛のサービス照会を送信するために構成された加入者局；
サービス選択器宛のサービス照会を受信し；
サービス選択器宛のサービス照会が最初に受信されたかどうかを判定し；そして前記判定が肯定であれば：
一組のパラメータと前記サービス照会をサービス選択器に提供する
ために構成された前記加入者局に通信的に接続された制御器；
一組のパラメータを前記制御器から受信し；
サービス照会を前記制御器から受信し；
パラメータのその組に従ってサービスを認可し；
サービス照会に従ってサービスを提供するためサービス・プロバイダを選択する
ために構成された前記制御器に通信的に接続された少なくとも一つのサービス選択器；及び
サービス関連情報を提供するために構成された少なくとも一つのサービス・プロバイダ
を具備する装置。
【請求項４１】
サービス選択器宛のサービス照会が最初に受信されないことを前記制御器が判定すれば、制御器は、
サービス照会をサービス選択器に転送する請求項４０記載の装置。
【請求項４２】
前記加入者局はさらに、
所望のサービスを管理するサービス選択器のアドレスを要求するために構成された請求項４０記載の装置。
【請求項４３】
一組のパラメータを前記制御器に提供するために構成されたサーバーをさらに具備する請求項４０記載の装置。
【請求項４４】
前記サーバーは、
前記加入者局が通信システムとの通信を確立するとき、前記制御器に一組のパラメータを提供するために構成される請求項４０記載の装置。
【請求項４５】
少なくとも一つのサービスを提供する通信システムにおいてサービスを提供するための装置であって、前記少なくとも一つのサービスの各々は別々のサービス選択器によって管理されており、
サービス選択器宛のサービス照会を受信し；
サービス選択器宛のサービス照会が最初に受信されるかどうかを判定し；そして前記判定が肯定であれば：
サービス選択器宛のサービス照会がＮｏ‐Ｏｐメッセージを含むかどうかを判定し、そして前記判定が否定であれば：
一組のパラメータとサービス照会をサービス選択器に提供する
ために構成された制御器；
一組のパラメータを前記制御器から受信し；
サービス照会を前記制御器から受信し；
パラメータのその組に従ってサービスを認可し；
サービス照会に従ってサービスを提供するためサービス・プロバイダを選択する
ために構成された前記制御器に通信的に接続された少なくとも一つのサービス選択器；及び
サービス関連情報を提供するために構成されたサービス・プロバイダ
を具備する装置。
【請求項４６】
サービス選択器宛の前記サービス照会がＮｏ‐Ｏｐメッセージを含むことを前記制御器が判定すれば：
前記制御器は一組のパラメータをサービス選択器に提供するために構成され；そして
前記サービス・プロバイダはパラメータのその組から少なくとも一つのパラメータをサービス・プロバイダに提供するために構成される請求項４５記載の装置。
【請求項４７】
前記サービス・プロバイダはさらに、
パラメータのその組に従ってサービスを認可するために構成される請求項４５記載の装置。
【請求項４８】
サービス選択器宛のサービス照会が最初に受信されないことを前記制御器が判定すれば、制御器は、
サービス照会をサービス選択器に転送するために構成される請求項４５記載の装置。
【請求項４９】
少なくとも一つのサービスを提供する通信システムにおいてサービスを提供するための装置であって、前記少なくとも一つのサービスの各々は別々のサービス選択器によって管理されており、
所望のサービスを管理するサービス選択器宛のサービス照会を送信するために構成された加入者局；
サービス選択器宛のサービス照会を受信し；
サービス選択器宛のサービス照会が最初に受信されるかどうかを判定し；そして前記判定が肯定であれば：
サービス選択器宛のサービス照会がＮｏ‐Ｏｐメッセージを含むかどうかを判定し、そして前記判定が否定であれば：
一組のパラメータとサービス照会をサービス選択器に提供する
ために構成された前記加入者局に通信的に接続された制御器；
一組のパラメータを前記制御器から受信し；
サービス照会を前記制御器から受信し；
パラメータのその組に従ってサービスを認可し；
サービス照会に従ってサービスを提供するためサービス・プロバイダを選択する
ために構成された前記制御器に通信的に接続された少なくとも一つのサービス選択器；及び
サービス関連情報を提供するために構成された少なくとも一つのサービス・プロバイダ
を具備する装置。
【請求項５０】
サービス選択器宛の前記サービス照会がＮｏ‐Ｏｐメッセージを含むことを前記制御器が判定すれば：
前記制御器は一組のパラメータをサービス選択器に提供するために構成され；そして
前記サービス・プロバイダはパラメータのその組から少なくとも一つのパラメータをサービス・プロバイダに提供するために構成される請求項４９記載の装置。
【請求項５１】
前記サービス・プロバイダはさらに、
パラメータのその組に従ってサービスを認可するために構成される請求項４９記載の装置。
【請求項５２】
サービス選択器宛のサービス照会が最初に受信されないことを前記制御器が判定すれば、制御器は、
サービス照会をサービス選択器に転送するために構成される請求項４９記載の装置。
【請求項５３】
少なくとも一つのサービスを提供する通信システムにおけるサービス認可のための装置であって、前記少なくとも一つのサービスの各々は別々のサービス選択器によって管理されており、
制御器においてサービス選択器宛のサービス照会を受信する手段；
前記サービス照会に従って制御器から一組のパラメータをサービス選択器に提供する手段；
パラメータの前記の組に従ってサービス選択器において前記サービスを認可する手段
を具備する装置。
【請求項５４】
少なくとも一つのサービスを提供する通信システムにおけるサービス認可のための装置であって、前記少なくとも一つのサービスの各々は別々のサービス選択器によって管理されており、
所望のサービスを管理するサービス選択器宛のサービス照会を加入者局から送信する手段；
サービス選択器宛の前記サービス照会を制御器において受信する手段；
前記サービス照会に従って制御器から一組のパラメータをサービス選択器に提供する手段；
パラメータの前記の組に従ってサービス選択器において前記サービスを認可する手段
を具備する装置。
【請求項５５】
少なくとも一つのサービスを提供する通信システムにおいてサービスを提供するための装置であって、前記少なくとも一つのサービスの各々は別々のサービス選択器によって管理されており、
制御器においてサービス選択器宛のサービス照会を受信する手段；
サービス選択器宛の前記サービス照会が最初に受信されるかどうかを判定する手段；及び前記判定が肯定であれば：
制御器から一組のパラメータと前記サービス照会をサービス選択器に提供する手段；
パラメータの前記の組に従ってサービス選択器において前記サービスを認可する手段;
サービス照会に従って前記サービスを提供するためサービス選択器においてサービス・プロバイダを選択する手段；及び
サービス関連情報をサービス・プロバイダによって提供する手段
を具備する装置。
【請求項５６】
少なくとも一つのサービスを提供する通信システムにおいてサービスを提供するための装置であって、前記少なくとも一つのサービスの各々は別々のサービス選択器によって管理されており、
所望のサービスを管理するサービス選択器宛のサービス照会を加入者局から送信する手段；
制御器においてサービス選択器宛の前記サービス照会を受信する手段；
サービス選択器宛の前記サービス照会が最初に受信されたかどうかを判定する手段；及び前記判定が肯定であれば：
制御器から一組のパラメータと前記サービス照会をサービス選択器に提供する手段；
パラメータの前記の組に従ってサービス選択器において前記サービスを認可する手段；
サービス照会に従って前記サービスを提供するためサービス選択器においてサービス・プロバイダを選択する手段；及び
サービス関連情報をサービス・プロバイダによって提供する手段
を具備する装置。
【請求項５７】
少なくとも一つのサービスを提供する通信システムにおいてサービスを提供するための装置であって、前記少なくとも一つのサービスの各々は別々のサービス選択器によって管理されており、
制御器においてサービス選択器宛のサービス照会を受信する手段；
サービス選択器宛の前記サービス照会が最初に受信されるかどうかを判定する手段；そして前記判定が肯定であれば：
サービス選択器宛の前記サービス照会がＮｏ‐Ｏｐメッセージを含むかどうかを判定する手段、そして前記判定が否定であれば：
制御器から一組のパラメータと前記サービス照会をサービス選択器に提供する手段；
パラメータの前記の組に従ってサービス選択器において前記サービスを認可する手段；
前記サービス照会に従って前記サービスを提供するためサービス選択器においてサービス・プロバイダを選択する手段；及び
サービス関連情報をサービス・プロバイダによって提供する手段
を具備する装置。
【請求項５８】
少なくとも一つのサービスを提供する通信システムにおいてサービスを提供するための装置であって、前記少なくとも一つのサービスの各々は別々のサービス選択器によって管理されており、
所望のサービスを管理するサービス選択器宛のサービス照会を加入者局から送信する手段；
制御器においてサービス選択器宛の前記サービス照会を受信する手段；
サービス選択器宛の前記サービス照会が最初に受信されたかどうかを判定する手段；そして前記判定が肯定であれば：
サービス選択器宛の前記サービス照会がＮｏ‐Ｏｐメッセージを含むかどうかを判定する手段、そして前記判定が否定であれば：
制御器から一組のパラメータと前記サービス照会をサービス選択器に提供する手段；
パラメータの前記の組に従ってサービス選択器において前記サービスを認可する手段;
前記サービス照会に従って前記サービスを提供するためサービス選択器においてサービス・プロバイダを選択する手段；及び
サービス関連情報をサービス・プロバイダによって提供する手段
を具備する装置。
【発明の詳細な説明】
【技術分野】
【０００１】
本発明は一般に通信システムに関し、特に通信システムにおけるサービス認可のための方法及び装置に関する。
【背景技術】
【０００２】
通信システムは発信局から物理的に区別された目的局へ情報信号の伝送を行うために開発されてきた。通信チャネル上で発信局から情報信号を伝送するには、情報信号は最初に通信チャネル上で効率的な伝送に適した形態に変換される。情報信号の変換、または変調はその結果生じる変調搬送波のスペクトルが通信チャネル帯域幅内に限定されるように情報信号に従って搬送波のパラメータを変えることを含む。宛先局では、原情報信号は通信チャネル上で受信された変調搬送波から複製される。そのような複製は一般に発信局で使用された変調処理の逆を使用することによって達成される。
【０００３】
変調はまた共通通信チャネル上でいくつかの信号の多元接続（multiple-access）、 即ち、同時伝送及び／または受信を容易にする。多元接続通信システムは多くの場合共通通信チャネルへの連続アクセスではなく、比較的短い期間の断続サービスを必要とする複数の遠隔加入者ユニットを含む。時分割多元接続（ＴＤＭＡ）、周波数分割多元接続（ＦＤＭＡ）、及び振幅変調多元接続（ＡＭ）といったいくつかの多元接続技術は当技術分野では既知である。別の形式の多元接続技術は「二重モード広帯域スペクトル拡散セルラ・システムに関するＴＩＡ／ＥＩＡ／ＩＳ‐９５移動局‐基地局互換規格（TIA/EIA/IS-95 Mobile Station-Base Station Compatibility Standard for Dual-Mode Wide-Band Spread Spectrum Cellular System）」に適合する符号分割多元接続（ＣＤＭＡ）スペクトル拡散システムであり、以下にＩＳ‐９５規格として引用される。多元接続通信システムにおけるＣＤＭＡ技術の使用は、「衛星または地上中継器を使用するスペクトル拡散多元接続通信システム（SPREAD SPECTRUM MULTIPLE-ACCESS COMMUNICATION SYSTEM USING SATELLITE OR TERRESTRIAL REPEATERS）」と題する米国特許第４，９０１，３０７号、及び「ＣＤＭＡセルラ電話システムにおける波形生成のためのシステム及び方法（SYSTEM AND METHOD FOR GENERATING WAVEFORMS IN A CDMA CELLULAR TELEPHONE SYSTEM）」と題する米国特許第５，１０３，４５９号に開示され、両方とも本発明の譲請人に譲渡されている。
【０００４】
多元接続通信システムは無線または有線であり、音声及び／またはデータを搬送する。音声とデータの両方を搬送する通信システムの例はＩＳ‐９５規格に基づくシステムで、それは通信チャネル上で伝送する音声及びデータを指定する。固定サイズの符号チャネル・フレームでデータを伝送する方法は、「伝送データをフォーマットするための方法及び装置（METHOD AND APPARATUS FOR THE FORMATTING OF DATA FOR TRANSMISSION）と題し、本発明の譲請人に譲渡されている米国特許第５，５０４，７７３号に詳述されている。ＩＳ‐９５規格に従って、データまたは音声は１４．４Ｋｂｓと同じくらい高いデータ伝送率によって２０ミリ秒幅の符号チャネル・フレームに分割される。音声またはデータを搬送する通信システムの別の例は、文書番号３Ｇ  ＴＳ  ２５．２１１、３Ｇ  ＴＳ  ２５．２１２、３Ｇ  ＴＳ  ２５．２１３、及び３Ｇ  ＴＳ  ２５．２１４（Ｗ‐ＣＤＭＡ規格）を含む一組の文書において体系化された「第三世代共同プロジェクト（3rd Generation Partnership Project：３ＧＰＰ）」、または「ＴＲ‐４５．５：ｃｄｍａ２０００スペクトル拡散システムに関する物理層規格（TR-45.5 Physical Layer Standard for cdma2000 Spread Spectrum Systems）」（ＩＳ‐２０００規格）に適合する通信システムを含む。
【０００５】
多元接続通信システムでは、ユーザー間の通信は一以上の基地局を経由して行われる。一加入者局上の第一のユーザーは逆方向回線上でデータを基地局に伝送することによって第二の加入者局上の第二のユーザーに通信する。基地局はデータを受信し、そのデータを別の基地局に送ることができる。データは同じ基地局、または他の基地局の順方向回線上で第二の加入者局に伝送される。順方向回線は基地局から加入者局への伝送を云い、逆方向回線は加入者局から基地局への伝送を云う。同様に、その通信は一移動加入者局上の第一のユーザーと地上局上の第二のユーザーとの間で行うことができる。基地局は逆方向回線上でユーザーからデータを受信し、公衆電話交換網（ＰＳＴＮ）を経由してデータを第二のユーザーに伝送する。多くの通信システム、例えば、ＩＳ‐９５、Ｗ‐ＣＤＭＡ、ＩＳ‐２０００では、順方向回線及び逆方向回線は別々の周波数を割当てられる。
【０００６】
データだけの通信システムの例は以降ＩＳ‐８５６として引用されるＴＩＡ／ＥＩＡ／ＩＳ‐８５６業界規格に適合する高データ伝送率（ＨＤＲ）通信システムである。このＨＤＲシステムは、「高伝送率パケット・データ伝送のための方法及び装置（METHOD AND APPARATUS FOR HIGH RATE PACKET DATA TRANSMISSION）」と題し、１９９７年３月１１日に出願され、本発明の譲請人に譲渡されている同時係属出願第０８／９６３，３８６号に開示されている通信システムに基づいている 。ＨＤＲ通信システムは３８．４ｋｂｐｓから２．４Ｍｂｐｓの範囲の一連のデータ伝送率を定義し、そこではアクセス・ポイント（ＡＰ）は加入者局（アクセス端末：ＡＴ）にデータを送信する。ＡＰは基地局に同類であるので、セル及びセクタに関する用語は音声システムに関して同じである。
【発明の開示】
【発明が解決しようとする課題】
【０００７】
通信システムの開発及び高度化とともに、通信システムが主として設計されていたそれらのサービス、例えば、音声またはデータだけでなく、別のサービス、例えば、所在場所、同報サービス、集団サービス及び当業者に既知の他のサービスを通信システムはまた提供する。現存通信システムへのそのようなサービスの追加はいくつかの難題を提起する。例えば、アクセス網はアクセス端末が要求サービスを受取る権限を与えられるかどうかを判定しなければならない。別々の搬送波が別々のサービスを実施するために選択されるから、認可処理は特定のサービスに無関係でなくてはならず、サービスの追加または除外はアクセス網のサービスに関係ない部分に対する変更（ハードウェアまたはソフトウェア）を求めるべきでない。さらに、サービス認可はアクセス端末の移動性を考慮しなければならない。
【０００８】
従って、アクセス網のサービスに関係ない部分を変更しないでアクセス端末にアクセス網が提供するあらゆるサービス認可に使用できる通信システムにおけるサービス認可のための方法及び装置に関して当技術分野における必要性がある。
【課題を解決するための手段】
【０００９】
本発明の一形態では、サービス選択器へ送られたサービス照会を制御器で受信し、前記サービス照会に従って制御器から一組のパラメータをサービス選択器に提供し、そしてパラメータの前記の組に従って前記サービスをサービス選択器において認可することによって上記の必要性が受入られる。
【００１０】
本発明の別の形態では、所望のサービスを管理し、サービス選択器に送られたサービス照会を制御器に伝送するサービス選択器のアドレスを加入者局において判定することによって上記の必要性が受入られる。
本発明の別の形態では、サービス選択器がサービスを認可するとき、サービス選択器は制御器から受信されたサービス照会に従ってサービス提供できるサービス・プロバイダを選択する。
【発明を実施するための最良の形態】
【００１１】
定義
用語「典型的（exemplary）」はここでは「例（example）、場合（instance）、または実例（illustration）として役立つ」ことを意味する。「典型的」としてここに記述された実施例は他の実施例に対して好ましい、または有利であると必ずしも解釈されるとは限らない。
【００１２】
術語「同報通信」または「一対多地点間（point-to-multipoint）通信」は複数の加入者局が一起点からの通信を受信している通信を意味するためにここでは使用される。
術語「サービス」または「一対多地点間通信」は複数の加入者局が一般に一つの加入者局から通信を受信しつつある通信を意味するためにここでは使用される。
【００１３】
術語「パケット」は特定のフォーマットに配列されたデータ（ペイロード）及び制御要素（control elements）を含むビット群を意味するために専らここでは使用される。制御要素は、例えば、プリアンブル、品質測定基準、及び当業者には既知の他のものを含む。品質測定基準は、例えば、巡回冗長度検査（ＣＲＣ）、パリティ・ビット、及び当業者には既知の他のものを含む。
【００１４】
術語「アクセス網」はアクセス・ポイント（ＡＰ）の集合及び一以上のアクセス・ポイント制御器を意味するために専らここでは使用される。アクセス網はデータ・パケットを多数のアクセス端末（ＡＴ）の間で伝送する。アクセス網はさらに企業のイントラネットまたはインターネットといったアクセス網以外の追加の網と接続でき、そして各アクセス端末とそのような外部網の間でデータ・パケットを伝送する。
【００１５】
ＨＤＲ通信システムの場合にＡＰとして引用される、術語「基地局」は加入者局が通信するハードウェアを意味するために専らここでは使用される。セルはその用語が使われる文脈に応じてハードウェアまたは地理的被包領域を意味する。セクタはセルの区画である。セクタはセルの属性を持っているので、セルに関して記述された教示は直ちにセクタまで拡張される。
【００１６】
ＨＤＲ通信システムの場合にＡＴとしてここに引用される、術語「加入者局」はアクセス網が通信するハードウェアを意味するために専らここに使用される。ＡＴは移動または静止している。ＡＴは、例えば光ファイバまたは同軸ケーブルを使用する、無線チャネルまたは有線チャネルを経由して通信するあらゆるデータ・デバイスである。ＡＴはさらにいくつかの型のデバイスのどれかであるが、ＰＣカード、コンパクト・フラッシュ、外付または内蔵モデム、または無線あるいは有線電話に限定されない。ＡＰと稼働トラフィック・チャネル接続を確立する過程にあるＡＴは接続設定状態にあると云われる。ＡＰと稼働トラフィック・チャネル接続を確立したＡＴは稼働ＡＴと呼ばれ、トラフィック状態にあると云われる。
【００１７】
術語「通信チャネル／回線」は変調特性及び符号化に関して信号が伝送される一つの経路（route）、またはＡＰまたはＡＴのいずれかのプロトコル層内の一つの経路を意味するために専らここでは使用される。
術語「逆方向チャネル／回線」はＡＴがＡＰに信号を送信する通信チャネル／回線を意味するために専らここでは使用される。
【００１８】
「順方向チャネル／回線」はここではＡＰがＡＴに信号を送信する通信チャネル／回線を意味するために専らここでは使用される。
術語「網アクセス識別子」は網アクセス識別子（ＮＡＩ）が二点間（ＰＰＰ）認証の間にＡＴによって提示されたＡＴの識別子であることを意味するために専らここでは使用される。ローミングにおいて、ＮＡＩの目的は認証要求の経路指定（routing）を援助するのと同様にＡＴを識別することである。
【００１９】
術語「ソフト・ハンドオフ」は各加入者局と、セクタが異なる二以上のセクタとの間の通信を意味するために専らここでは使用される。ＩＳ‐９５規格の文脈では、逆方向回線通信は両方のセクタによって受信され、順方向回線通信は二以上のセクタの順方向回線へ同時に搬送される。ＩＳ‐８５６規格の文脈では、順方向回線上のデータ伝送は二以上のセクタの一つとＡＴとの間で非同時に実行される。
【００２０】
術語「よりソフトなハンドオフ」は加入者局と、各セクタが同じセルに属する二以上のセクタとの間の通信を意味するために専らここでは使用される。ＩＳ‐９５規格の文脈では、逆方向回線通信は両方のセクタによって受信され、順方向回線通信は二以上のセクタの順方向回線の一つで同時に搬送される。ＩＳ‐８５６規格の文脈では、順方向回線上のデータ伝送は二以上のセクタの一つとＡＴとの間で非同時に実行される。
【００２１】
術語「再指示（re-pointing）」はそのセクタが現在選択されたセクタと異なる、ＡＴの稼働リストの構成員（member）であるセクタの選択を意味するために専らここでは使用される。
術語「ソフト／よりソフトなハンドオフ遅延」は加入者局が別のセクタへのハンドオフの後で受けるであろうサービスにおける最小の中断を示すために専らここでは使用される。ソフト／よりソフトなハンドオフ遅延は、加入者局が再指向しつつある（現在加入者局にサービスしていない）セクタ（非サービス・セクタ）が現在サービスしているセクタと同じセルの一部であるかどうかに基づいて判定される。非サービス・セクタがサービス・セクタと同じセル中にあれば、よりソフトなハンドオフ遅延が使用され、サービス・セクタがその一部であるセルとは異なるセクタに非サービス・セクタがあればソフト・ハンドオフ遅延が使用される。
【００２２】
術語「抹消（erasure）」はメッセージの認識に不成功を意味するために専らここでは使用される。
術語「休止（outage）」は加入者局がサービスを受けるであろう可能性が減少する時間間隔を意味するために専らここでは使用される。
説明
図１は本発明の実施例、例えば、ＩＳ‐８５６規格に基づく通信システムに従ってサービス認可を行うことが可能なＨＤＲ通信システムの概念図を図示する。アクセス端末（ＡＴ）１１２に供給されるべき内容は遠隔ホスト（ＲＨ）１０２において発信される。遠隔ホスト１０２は搬送網（図示してない）の中、またはインターネット（ＩＰ）の外に位置している。その内容はパケット・データ・サービス・ノード（ＰＤＳＮ）１０６へパケットの形式で送られる。ＰＤＳＮ１０６はパケットの宛先に従ってパケットをパケット制御機能（packet control function：ＰＣＦ）１０８に配送する。物理アクセス網との高レベル概念の接続を図示するために、ＰＣＦは物理的に同居または同一でさえあるが、論理的には基地局制御器（base station controller：ＢＳＣ）とは異なることを図１は示す。ＢＳＣはアクセス・ポイント（ＡＰ）１１０の制御実体管理機能である。ＢＳＣ／ＰＣＦ１０８はパケットをＡＰ１１０に供給する。
【００２３】
パケットが送られるアクセス端末（ＡＴ）１１２、例えば、ＡＴ１１２（２）がその被包領域にあるＡＰ１１０、例えば、ＡＰ１１０（４）は無線回線上でパケットをＡＴ１１２（２）に伝送する。一実施例に従って、順方向回線上のデータ伝送は順方向回線及び通信システムによって提供できる最大データ伝送率またはその近くで一つのＡＰから一つのＡＴに対して発生する。順方向回線の他のチャネル、例えば、制御チャネルは多数のＡＰから一つのＡＴに伝送される。逆方向回線データ通信は一つのＡＴから一以上のＡＰに対して発生する。図１には三つのＡＴと五つのＡＰしか示されていないが、これは教示目的のためだけのものであること、通信システムは複数のＡＴ及びＡＰを含むことができることを当業者は理解している。その上、当業者は本発明の概念の説明のためのＨＤＲ通信システムの選択が教示目的のためであり、開示された概念を他の通信システムに拡張することができることを理解している。
【００２４】
最初に、ＡＴ１１２（２）及びＡＰ１１０（４）は所定のアクセス手順を使用して通信回線を確立する。一実施例に従って、アクセス手順はＩＳ‐８５６規格に従って実行される。この接続状態では、ＡＴ１１２（２）は順方向回線１２４上でデータ及び制御メッセージをＡＰ１１０（４）から受信することができ、逆方向回線１２２上でデータ及び制御メッセージをＡＰ１１０（４）へ伝送することができる。一旦、ＡＴ１１２（２）とＡＰ１１０（４）との間に通信回線が確立されれば、ＡＴ１１２（２）とＢＳＣ／ＰＣＦ１０８（３）との間の通信セッションが確立でき、ＡＴ１１２（２）はアクセス網からサービスを受信することができる。ＡＴ１１２（２）とＡＰ１１０（４）との間の通信回線の確立に続く図１の通信システムにおける様々な実体（entities）の間の情報の流れは図２に図示される。ＡＰ１１０（４）の機能は通信回線を維持し、ＡＴ１１２（２）とＢＳＣ／ＰＣＦ１０８（３）との間の情報の導路として働くことであるから、ＡＰ１１０（４）は図２には示されない。しかしながら、ＡＴ１１２（２）とＢＳＣ／ＰＣＦ１０８（３）との間の情報の流れはＡＰ１１０（４）を通過することを当業者は理解する。
【００２５】
あらゆるＡＴがアクセス網からあらゆるサービスを受信する前に、サービスを要求しているＡＴがアクセス網の使用を許されることをアクセス網は最初に満たされなければならない。一実施例に従って、その認可は認証認可及び課金（Authentication Authorization and Accounting：ＡＡＡ）によって実行される。一旦、ＡＡＡが通信回線使用のためにＡＴを認可すれば、アクセス網によって提供されるサービスは、サービスを要求するＡＴがサービス使用を認可されることを証明するためＡＡＡに含まれる属性を使用するサービス選択器（ＳＳ）によって認証される。ＡＴがサービス受信を認可されることをＳＳが証明すれば、ＳＳはサービスを提供するために一つのサービス・プロバイダ（ＳＰ）を選択する。サービス・プロバイダはＡＴの能力に従って選択される。各個々のサービスは別々のＳＳによって認可され、少なくとも一つのＳＰによって提供される。ＡＡＡサーバ、ＳＳ、及びＳＰ間の通信を促進するために、ＡＡＡ１１６、ＳＳ１１８ 、及びＳＰサーバ１２０はイントラネット１１４を経由して対応するＢＳＣ／ＰＣＦ１０８に接続される。図１に図示されたように、ただ一つのサービスが各ＢＳＣ／ＰＣＦ１０８によって提供される。これは教示目的のみのためであることを当業者は理解する。認可の方法は図２において詳細に示されている。
【００２６】
図２に示されたように、ＡＴ１１２（２）及びＢＳＣ／ＰＣＦ１０８（３）は所定のアクセス手順を使用して通信セッション２０２を確立する。一実施例では、アクセス手順はＩＳ‐８５６規格に従って実行される。ＡＴ１１２（２）及びＢＳＣ／ＰＣＦ１０８（３）は各々回線層セッション、例えば、二点間（ＰＰＰ）セッションを確立し、ＢＳＣ／ＰＣＦ１０８（３）はＡＴ１１２（２）が別のＢＳＣ／ＰＣＦによってサービスを受ける領域に移動するまで有効なインターネット・プロトコル・アドレス（ＩＰ_ＡＴ１）をＡＴ１１２（２）に割当てる。ＢＳＣ／ＰＣＦ１０８（３）はさらに局所動的ネーム・サーバー（ＤＮＳ）１２２（２）のインターネット・プロトコル・アドレスをＡＴ１１２（２）に提供する。ＰＰＰとは異なる回線層プロトコル、例えば、ＳＬＰ、または当業者に既知の他の回線層プロトコルが本発明の範囲から逸脱することなく利用できることを当業者は理解する。そしてＡＴ１１２（２）は網アドレス識別子（ＡＴ_ＮＡＩ）をＢＳＣ／ＰＣＦ１０８（３）に送信する。ＡＴ_ＮＡＩは各ＡＴについて唯一つだけである。
【００２７】
上記のように、ＡＡＡ１１６（２）は通信セッション２０２に関してＡＴ１１２（２）を認可しなければならない。従って、一旦、ＢＳＣ／ＰＣＦ１０８（３）がＡＴ_ＮＡＩを受信すると、ＢＳＣ／ＰＣＦ１０８（３）は遠隔認証ダイアルイン・ユーザー・サービス（ＲＡＤＩＵＳ）プロトコルを使用して認証要求をＡＡＡサーバ１１６（２）に送信する。当技術分野で既知の他の、例えば、ＤＩＡＭＥＴＥＲまたは当業者に既知の他のプロトコルが本発明の範囲から逸脱することなく利用できることを当業者は理解する。一実施例では、その認可は呼びかけハンドシェーク認可プロトコル（challenge handshake authorization Protocol：ＣＨＡＰ）を利用する。ＡＴ１１２（２）が通信セッション２０２を要求すると、ＡＡＡ１１６（２）は乱数を生成し、乱数をＡＴ１１２（２）に通信する（「呼びかけ（challenge）」メッセージを送信する）。ＡＴ１１２（２）とＡＡＡ１１６（２）の両方は番号を生成する方法（一方向ハッシュ関数）への入力として乱数を使用する。そしてＡＴ１１２（２）はＡＡＡ１１６（２）にその番号を通信する（「応答（response）」メッセージを送信する）。ＡＴ１１２（２）から受信された番号がＡＡＡ１１６（２）で計算された番号に一致すれば、ＡＡＡ１１６（２）は通信セッション２０２を認可し、さもなければその接続は切断されなければならない。ＣＨＡＰに関する更なる詳細は解説（ＲＦＣ）第１９９４号の要求に開示されている。ＡＡＡ１１６（２）は必要なＡＴ１１２（２）のＲＡＤＩＵＳ属性と共に通信セッション２０２に関する認可を返送する。そのような必要な属性は追加サービスの認可のために必要な属性を含む。ＡＴ１１２（２）が通信回線資源の使用を認可されることをＡＡＡ１１６（２）がＢＳＣ／ＰＣＦ１０８（３）に示せば、ＡＴ１１２（２）はデータを受信し、ＢＳＣ／ＰＣＦ１０８（３）からのメッセージを制御することができ、データ及び制御メッセージをＢＳＣ／ＰＣＦ１０８（３）に伝送することができる。ＢＳＣ／ＰＣＦ１０８（３）はＡＴ１１２（２）の受信ＲＡＤＩＵＳ属性を記憶する。
【００２８】
ＡＴ１１２（２）が追加サービス、例えば、所在場所サービス（position location service）を利用することを望めば、ＡＴ１１２（２）は局所サービス（local service）に関する不完全な正規ネーム（non-fully qualified name）（例えば、local_ServiceSelector）をＢＳＣ／ＰＣＦ１０８（３）に供給することによって局所サービスに関する動的ネーム・サーバ（ＤＮＳ）照会２０６を生成する。述語「不完全な正規ネーム（non-fully qualified name）」はドメイン・ネームを含まないネームを意味するためにここでは使用される。例えば、ネーム「LocalServer.company.com」は完全な正規ネームであるが、ネーム「LocalServer」は正規でないネームである。ＢＳＣ／ＰＣＦ１０８（３）は照会２０６を受信し、ＤＮＳ１２２（２）に照会２０６を生成する。ＤＮＳ１２２（２）は要求ＳＳ１１８（２）のインターネット・プロトコル・アドレスをＢＳＣ／ＰＣＦ１０８（３）に提供することによって応答し、それはＡＴ１１２（２）に応答を転送する。
【００２９】
一旦、ＤＮＳ１２２（２）がＳＳ１１８（２）のＩＰ_ＳｅｒｖｉｃｅＳｅｌｅｃｔｏｒを受信すると、ＡＴ１１２（２）はＳＳ１１８（２）宛てのサービス照会２１０を生成、且つ送信することによってサービスを要求することができる。サービス照会は源アドレス（source address）、即ち、ＡＴ１１２（２）のＩＰ_ＡＴ１と、宛先アドレス、即ち、ＳＳ１１８（２）のＩＰ_ＳｅｒｖｉｃｅＳｅｌｅｃｔｏｒ、及び提供されるべきサービスを決定するために必要なＡＴ１１２（２）の事項（capabilities）を含む構造体である。そのような事項は、例えば、サービス品質、無線装置／技術、及び当業者には既知の他の事項を含む。
【００３０】
ＢＳＣ／ＰＣＦ１０８（３）はサービス照会２１０を受信し、ＩＰ_ＡＴ１を持つＡＴ１１２（２）が最初にＩＰ_ＳｅｒｖｉｃｅＳｅｌｅｃｔｏｒを持つＳＳ１１８（２）と接触させようと試みているかどうかを判定する。
その判定が肯定であれば、ＢＳＣ／ＰＣＦ１０８（３）はＩＰ_ＡＴ１、ＡＴ_ＮＡＩ、及びＡＴ１１２（２）のＲＡＤＩＵＳ属性を含むメッセージ２１２を生成し、そのメッセージ２１２をＳＳ１１８（２）に送信する。ＳＳ１１８（２）はメッセージ２１２に関する所定の伝送制御プロトコル（ＴＣＰ）またはユーザー・データグラム・プロトコル（ＵＤＰ）を監視し、そしてメッセージ２１２が正しく受信されると、肯定応答２１４をＢＳＣ／ＰＣＦ１０８（３）に返信する。そしてＢＳＣ／ＰＣＦ１０８（３）はＡＴによってＳＳ１１８（２）への照会２１６としてＢＳＣ／ＰＣＦ１０８（３）に送信されたサービス照会２１０を転送する。そしてＳＳ１１８（２）はＲＡＤＩＵＳ属性に従ってサービス認可を行う。ＳＳ１１８（２）は応答２２０を認可の結果に従ってＢＳＣ／ＰＣＦ１０８（３）へ返送する。サービスが認可されれば、ＳＳ１１８（２）はＡＴ１１２（２）の事項に従ってサービス・プロバイダを選択する。例えば、ＡＴ１１２（２）がＩＳ‐８５６規格に基づく端末であれば、そのような端末に関するサービスを支援することが可能なサービス・プロバイダ、例えば、サービス・プロバイダ１２０（２）が選択されるであろう。そしてＳＳ１１８（２）はサービス・プロバイダ１２０（２）に対するＡＴ１１２（２）の適切なＲＡＤＩＵＳ属性と共にＩＰ_ＡＴ１を含むメッセージ２１８を転送する。サービス・プロバイダ１２０（２）はＲＡＤＩＵＳ属性を検査し、どのようなサービスの品質がＡＴ１１２（２）に提供されるべきであるかを判定する。場所サービスに関するサービスの品質の例は場所の正確さ、更新の割合、及び当業者に既知のサービスの品質である。そしてＡＴ１１２（２）及びサービス・プロバイダ１２０（２）は要求サービスの関連情報２２２（Ａ）、２２２（２）をＢＳＣ／ＰＣＦ１０８（３）経由で交換する。
【００３１】
ＩＰ_ＡＴ１を持つＡＴ１１２（２）が既にＩＰ_ＳｅｒｖｉｃｅＳｅｌｅｃｔｏｒを持つ実体に接触したことをＢＳＣ／ＰＣＦ１０８（３）が判定すれば、ＩＰ_ＡＴ１、ＡＴ_ＮＡＩ、ＡＴ１１２（２）のＲＡＤＩＵＳ属性を含むメッセージ２１２をＳＳ１１８（２）へ再送信する理由はない。従って、ＢＳＣ／ＰＣＦ１０８（３）はＳＳ１１８（２）への照会２１６としてＡＴ１１２（２）によってＢＳＣ／ＰＣＦ１０８（３）に送信されたサービス照会２１０を転送する。そして照会２１６が送信された後、情報の流れは上述のように続く。
【００３２】
図１において破線矢によって図示されたように、ＢＳＣ／ＰＣＦ１０８（３）からの要求サービスを受信しながら、ＡＴ１１２（２）はＡＰ１１０（４）の被包領域から、ＢＳＣ／ＰＣＦ１０８（２）に接続されるＡＰ１１０（３）の被包領域へ移動した。ＡＴ１１２（２）がサービスの受信を続けることを可能にするために、最初に通信回線はＡＰ１１０（４）からＡＰ１１０（３）に移転され、その結果通信セッションはＢＳＣ／ＰＣＦ１０８（３）からＢＳＣ／ＰＣＦ１０８（２）に移転される。通信回線移転は、「データ通信システムにおいてサービス・セクタを選択するための方法及び装置（METHOD AND APPARATUS FOR SELECTING A SERVING SECTOR IN A DATA COMMUNICATION SYSTEM）」と題し、２００１年６月２６日出願の同時係属出願第０９／８９２，３７８号、及び「データ通信システムにおける適応サーバー選択のための方法及び装置（METHOD AND APPARATUS FOR ADAPTIVE SERVER SELECTION IN A DATA COMMUNICATION SYSTEM）」と題し、２００１年７月２６日出願の同時係属出願第０９／９１５，７３６号に開示され、両方とも本発明の譲請人に譲渡されている。そして、新しい回線層セッション（例えば、ＰＰＰセッション）がＡＴ１１２（２）とＢＳＣ／ＰＣＦ１０８（２）との間で確立され、その結果ＢＳＣ／ＰＣＦ１０８（２）によって新しいＩＰアドレス（ＩＰ_ＡＴ２）がＡＴ１１２（２）に割当てられる。このＩＰ_ＡＴ２は一般にＩＰ_ＡＴ１と異なる。追加サービス継続を保証するために、ＳＳ１１８（２）はＩＰ_ＡＴ２アドレスとＡＴ_ＮＡＩとの間の新しい結合を通告されなければならない。
【００３３】
一実施例では、新しい結合は図２に記述されたように認可処理を繰返すことによって達成される。しかしながら、そのような仕方は計算資源及び信号発信負荷の両方に無駄が多いので、本発明の別の実施例に基づく結合通告が図３に図示される。
図３に図示されたように、ＡＴ１１２（２）がＢＳＣ／ＰＣＦ１０８（２）との通信セッションを確立し、局所サービス選択器（ＩＰ_ＳｅｒｖｉｃｅＳｅｌｅｃｔｏｒ）、即ち、ＳＳ１１８（２）のためのアドレスを要求、且つ受信した後で、ＡＴ１１２（２）はＳＳ１１８（２）宛の非動作（Ｎｏ‐Ｏｐ）メッセージ３１０を生成する。Ｎｏ‐Ｏｐメッセージ３１０はサービス照会と同じ構造を持ち、源アドレス、即ち、ＡＴ１１２（２）のＩＰ_ＡＴ２、及び宛先アドレス、即ち、ＳＳ１１８（２）のＩＰ_ＳｅｒｖｉｃｅＳｅｌｅｃｔｏｒを含むが、 どのサービスが提供されるかを決定するために必要なＡＴ１１２（２）の事項について予約されたフィールドは空である。
【００３４】
このように、ＢＳＣ／ＰＣＦはＡＴからＳＳ宛の要求の源及び宛先アドレスのみ検査する；従って、ＢＳＣ／ＰＣＦ１０８（２）からみれば、サービス照会とＮｏ‐Ｏｐメッセージとの間の差異がない。従って、ＢＳＣ／ＰＣＦ１０８（２）はサービス照会／Ｎｏ‐Ｏｐメッセージ３１０を検査し、ＩＰ_ＡＴ２を持つＡＴ１１２（２）が最初にＳＳ１１８（２）をＩＰ_ＳｅｒｖｉｃｅＳｅｌｅｃｔｏｒと接触させることを試みることを決定する。従って、ＢＳＣ／ＰＣＦ１０８（２）はＩＰ_ＡＴ２、ＡＴ_ＮＡＩ、及びＲＡＤＩＵＳ属性を含むメッセージをＳＳ１１８（２）に送信する。ＳＳ１１８（２）はメッセージ３１２について所定の伝送制御プロトコル（ＴＣＰ）及び（ＵＤＰ）を監視し、メッセージ３１２が正しく受信されると、ＩＰ_ＡＴ１、ＡＴ_ＮＡＩ、及びＲＡＤＩＵＳ属性の間の古い結合をＩＰ_ＡＴ２、ＡＴ_ＮＡＩ、及びＲＡＤＩＵＳ属性の新しい結合に更新し、そして肯定応答３１４を送信する。そしてＢＳＣ／ＰＣＦ１０８（２）はサービス照会／Ｎｏ‐Ｏｐメッセージ３１６としてＡＴ１１２（２）によってＢＳＣ／ＰＣＦ１０８（２）に送信されたサービス照会／Ｎｏ‐Ｏｐメッセージ３１０をＳＳ１１８（２）に転送する。ＳＳ１１８（２）は応答３２０をＢＳＣ／ＰＣＦ１０８（３）へ返送し、適切なＲＡＤＩＵＳ属性と共にＡＴ１１２（２）のＩＰ_ＡＴ２を含むメッセージ３１２をサービス・プロバイダ１２０（２）へ転送する。サービス照会／Ｎｏ‐Ｏｐメッセージ３１０はＡＴ１１２（２）の事項を含まないので、情報はメッセージ３１６を転送することにより伝達されないため交換３１６‐３２０は不必要であるように思われる。しかしながら、サービスを追加及び除外することはアクセス網のサービス無関係の部分に対する変更（ハードウェアまたはソフトウェア）を必要とするべきでないことを想起せよ。従って、ＢＳＣ／ＰＣＦはサービス照会とＮｏ‐Ｏｐメッセージを区別する必要がないので、そのような処置はＢＳＣ／ＰＣＦの修正を必要としない。
【００３５】
ＢＳＣ／ＰＣＦの修正が、別の実施例において、ＳＳ１１８（２）宛のサービス照会／Ｎｏ‐Ｏｐメッセージ３１０を受信するとき受入れ可能であれば、ＢＳＣ／ＰＣＦ１０８（２）はＩＰ_ＡＴ２を持つＡＴ１１２（２）が最初にＩＰ_ＳｅｒｖｉｃｅＳｅｌｅｃｔｏｒを持つＳＳ１１８（２）と接触させることを試みるかどうかだけでなく、サービス照会／Ｎｏ‐Ｏｐメッセージ３１０がＮｏ‐Ｏｐメッセージであるかどうかも検査する。サービス照会／Ｎｏ‐Ｏｐメッセージ３１０がＮｏ‐Ｏｐメッセージでなければ、上述のように情報の流れは続く。サービス照会／Ｎｏ‐Ｏｐメッセージ３１０がＮｏ‐Ｏｐメッセージであれば、ＢＳＣ／ＰＣＦ１０８（２）はＡＴ１１２（２）によってサービス照会／Ｎｏ‐Ｏｐメッセージ３１６としてＢＳＣ／ＰＣＦ１０８（２）に送信されたＮｏ‐Ｏｐメッセージ３１０を肯定応答３１４の受信成功後ＳＳ１１８（２）に転送しない。
【００３６】
サービス・プロバイダ１２０（２）は属性を検査し、どのようなサービスの品質がＡＴ１１２（２）に提供されるべきかを決定する。そしてＡＴ１１２（２）及びサービス・プロバイダ１２０（２）は要求サービスの関連情報３２２（Ａ）、３２２（Ｂ）をＢＳＣ／ＰＣＦ１０８（２）経由で交換する。
【００３７】
ＳＳ１１８（２）がＮｏ‐Ｏｐメッセージ３１０を受信した後ＲＡＤＩＵＳ属性に従ってサービス認可を行うかどうかはＳＳ１１８（２）の実施に依存することを当業者は理解する。従って、既にＡＴ_ＮＡＩを持つＡＴが認可されたことをＳＳ１１８（２）が記憶しておれば、それ以上の認可は必要ではなく、応答３２２はＡＴが認可されることを指示する。そうでなければ、ＳＳ１１８（２）はサービス認可を行い、応答３２２を認可の結果に従ってＢＳＣ／ＰＣＦ１０８（２）に返送する。
【００３８】
様々な実施例がフローチャート及び方法に関して記述されたが、これは教育的な目的だけのために行われたことを当業者は理解する。その方法は、一実施例において、ＡＴ及び／またはＡＰにおける送信器及び受信器または適切なブロックとインターフェイスされたプロセッサを含む装置によって行うことができる。
【００３９】
情報及び信号は様々な異なる技術及び技法を使用して表されることを通常の当業者は理解するであろう。例えば、上の記述の至る所で引用されるデータ、指示、命令、情報、信号、ビット、シンボル、及びチップは電圧、電流、電磁波、磁場または粒子、光学場または粒子、またはそのあらゆる組合せによって表される。
【００４０】
ここで開示された実施例に関連して記述された様々な例示の論理的ブロック、モジュール、回路、及び、アルゴリズム・ステップは電子ハードウェア、コンピュータ・ソフトウェア、または双方の組合せとして実施できることを通常の当業者はさらに理解するであろう。このハードウェア及びソフトウェアの互換性を明瞭に示すために、様々な例示部品、ブロック、モジュール、回路、及びステップがそれらの機能性に関して一般に上で記述されてきた。そのような機能性がハードウェアまたはソフトウェアとして実施されるかどうかは全体のシステムに課せられた特定の応用及び設計の制約に依存する。熟練技術者は特定の各応用について種々の方法で記述された機能性を実施できるであろうが、そのような実施の決定は本発明の範囲から逸脱するものと解釈されるべきではない。
【００４１】
ここに開示された実施例に関連して記述された様々な例示の論理的ブロック、モジュール、及び回路は一般用途プロセッサ、ディジタル信号プロセッサ（ＤＳＰ）、特定用途向け集積回路（ＡＳＩＣ）、フィールド・プログラム可能ゲートアレイ（ＦＰＧＡ）または他のプログラム可能論理デバイス、個別ゲートまたはトランジスタ論理、個別ハードウェア部品、またはここに記述された機能を実行するために設計されたそのあらゆる組合せによって実施、或いは実行される。一般用途プロセッサはマイクロプロセッサでもよいが、これに代りでは、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと接続した一以上のマイクロプロセッサ、またはそのようなあらゆる他の構成として実施される。
【００４２】
ここに開示された実施例に関連して記述された方法またはアルゴリズムの操作は直接ハードウェアにおいて、プロセッサによって実行されるソフトウェア・モジュールにおいて、或いは二つの組合せにおいて組込まれる。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハードディスク、交換可能ディスク、ＣＤ−ＲＯＭ、または当技術分野において既知の他の型式の記憶媒体に駐在する。典型的な記憶媒体はプロセッサが記憶媒体から情報を読取り、記憶媒体に情報を書込むことができるようにプロセッサに接続される。それに代るものでは、記憶媒体はプロセッサに一体化してもよい。プロセッサ及び記憶媒体はＡＳＩＣに駐在してもよい。ＡＳＩＣはユーザー端末に駐在してもよい。それに代るものでは、プロセッサ及び記憶媒体はユーザー端末中に個別部品として駐在してもよい。
【００４３】
開示された実施例の先の記述は当業者が本発明を行い、或いは使用することを可能にするために提供される。これらの実施例への様々な変更は当業者には直ちに明白であり、ここに定義された一般原理は本発明の精神または範囲から逸脱することなく他の実施例に適用できる。このように、本発明はここに示された実施例に限定されることを意図していないが、ここに開示された原理及び新規な特徴と両立する最も広い範囲を与えられるべきである。
【００４４】
この特許文書の開示の一部は著作権保護の対象となる材料を含む。特許文書は特許・商標局の特許ファイルまたは記録で出版されるので、著作権所有者は特許文書または特許明細書のいずれかのファクシミリ再生に対して反対をしないが、他の場合は全ての著作権権利を保留する。
【図面の簡単な説明】
【００４５】
【図１】ＨＤＲ通信システムの概念図を図示する。
【図２】本発明の実施例に従ってサービス認可のためのＨＤＲ通信システムにおける様々な実体の間の情報の流れを図示する。
【図３】本発明の実施例に従ってサービス認可のためのＨＤＲ通信システムにおける様々な実体の間の情報の流れを図示する。
【図１】
2005512358.tif 000003
【図２】
2005512358.tif 000004
【図３】
2005512358.tif 000005
【国際調査報告】
2005512358.tif 000006
2005512358.tif 000007
2005512358.tif 000008